(57)【特許請求の範囲】
【請求項１】
周囲が外枠で覆われており、その外枠の内側に、遊技盤を取り付けたミドル枠が設置されており、そのミドル枠の裏面側に、セーフ球タンクとセーフ球通路とを上下に連設した機構板が設置されているとともに、それらのミドル枠と機構板とが、外枠に対して片開き自在に取り付けられており、かつ、前記セーフ球タンクおよびセーフ球通路の後方に、作動内容を制御する制御装置が設置されているパチンコ機であって、
前記セーフ球タンクおよびセーフ球通路の後方に、取付板が、上端縁を軸として片開き自在、且つ、軸方向へスライド可能に設置されており、前記制御装置がその取付板を介して設置されている一方、
前記機構板に、前記取付板を所定角度に傾斜させた状態で支持する支持部材を付設するとともに、前記取付板に、上下方向へ延びる補強リブを設け、当該補強リブの上端における前記取付板の表面との段差を前記支持部材に係合可能な係合屈曲部とし、
前記取付板を所定角度以上片開きした状態で前記軸方向へスライドさせ、前記係合屈曲部を前記支持部材に係合させることにより、前記取付板が所定角度片開きされた状態で支持されることを特徴とするパチンコ機。
【請求項２】
支持部材が、取付板を、鉛直線と約９０度以上の角度をなすように傾斜させた状態で支持するものであることを特徴とする請求項１に記載のパチンコ機。
【請求項３】
機構板に水平ロール状ガイドが設けられており、その水平ロール状ガイドの右側および／または左側に支持部材が付設されているとともに、取付板に、水平ロール状ガイドより幅広なガイド挿通孔と、柱状部とが上下に連設されており、
取付板が、柱状部を水平ロール状ガイド内に嵌入し、ガイド挿通孔に水平ロール状ガイドおよび支持部材を挿通させた状態で、機構板に設置されていることを特徴とする請求項１、または請求項２に記載のパチンコ機。
【請求項４】
セーフ球通路にセーフ球通路カバーが着脱自在に設けられていることを特徴とする請求項１、請求項２、または請求項３に記載のパチンコ機。
【発明の詳細な説明】
【０００１】
【発明の属する技術分野】
本発明は、パチンコ機に関するものである。
【０００２】
【従来の技術】
図１９は、従来のパチンコ機の背面を示したものである。パチンコ機６１は、周囲が外枠６２で覆われており、外枠６２の内側には、内部に遊技盤（図示せず）を嵌め込み設置したミドル枠６３が設置されている。そして、ミドル枠６３の後方には、合成樹脂製の機構板６４が設置されている。かかる機構板６４は、下側中央に、遊技盤に設置された入賞装置に入賞した遊技球を一時的に貯えるためのセーフ球タンク６６が設置されている。また、中央下端には、セーフ球排出装置６７が設置されており、セーフ球通路６８を介してセーフ球タンク６６と連通した状態になっている。さらに、それらのセーフ球タンク６６およびセーフ球通路６８の後方には、パチンコ機６１の作動内容を制御する制御装置６５が固着されている。一方、パチンコ機６１は、パチンコホールの設置島に外枠６２のみが固定された状態で設置されており、その外枠６２に対して、ミドル枠６３が片開き自在に取り付けられており、さらに、そのミドル枠６３に対して、機構板６４が片開き自在にになっている。
【０００３】
【発明が解決しようとする課題】
しかしながら、上記パチンコ機６１は、セーフ球タンク６６やセーフ球通路６８内で遊技球が詰まる（凝集する）等のトラブルが発生した場合には、ミドル枠６３を片開きした上で、さらに、機構板６４を片開きして、セーフ球タンク６６やセーフ球通路６８を露出させなければ、かかるトラブルを解消することができない。このため、トラブルの解消に多大なスペースを要し、遊技者に迷惑をかけることが多かった。
【０００４】
本発明の目的は、上記従来のパチンコ機が有する課題を解消し、セーフ球タンクやセーフ球通路内でトラブルが発生した場合でも、そのトラブルを容易に解消することができる実用的なパチンコ機を提供することにある。
【０００５】
【課題を解決するための手段】
本発明のうち、請求項１に記載された発明の構成は、周囲が外枠で覆われており、その外枠の内側に、遊技盤を取り付けたミドル枠が設置されており、そのミドル枠の裏面側に、セーフ球タンクとセーフ球通路とを上下に連設した機構板が設置されているとともに、それらのミドル枠と機構板とが、外枠に対して片開き自在に取り付けられており、かつ、前記セーフ球タンクおよびセーフ球通路の後方に、作動内容を制御する制御装置が設置されているパチンコ機であって、前記セーフ球タンクおよびセーフ球通路の後方に、取付板が、上端縁を軸として片開き自在、且つ、軸方向へスライド可能に設置されており、前記制御装置がその取付板を介して設置されている一方、前記機構板に、前記取付板を所定角度に傾斜させた状態で支持する支持部材を付設するとともに、前記取付板に、上下方向へ延びる補強リブを設け、当該補強リブの上端における前記取付板の表面との段差を前記支持部材に係合可能な係合屈曲部とし、前記取付板を所定角度以上片開きした状態で前記軸方向へスライドさせ、前記係合屈曲部を前記支持部材に係合させることにより、前記取付板が所定角度片開きされた状態で支持されることにある。また、請求項２に記載された発明の構成は、請求項１に記載された発明において、支持部材が、取付板を、鉛直線と約９０度以上の角度をなすように傾斜させた状態で支持するものであることにある。さらに、請求項３に記載された発明の構成は、請求項１に記載された発明、請求項２に記載された発明において、機構板に水平ロール状ガイドが設けられており、その水平ロール状ガイドの右側および／または左側に支持部材が付設されているとともに、取付板に、水平ロール状ガイドより幅広なガイド挿通孔と、柱状部とが上下に連設されており、取付板が、柱状部を水平ロール状ガイド内に嵌入し、ガイド挿通孔に水平ロール状ガイドおよび支持部材を挿通させた状態で、機構板に設置されていることにある。加えて、請求項４に記載された発明の構成は、請求項１〜請求項３に記載された発明において、セーフ球通路にセーフ球通路カバーが着脱自在に設けられていることにある。
【０００６】
【発明の実施の形態】
以下、本発明のパチンコ機の一実施形態について、図面に基づいて詳細に説明する。
【０００７】
図１は、パチンコ機の正面図であり、パチンコ機１は、周囲が外枠２によって覆われている。そして、前面の上方に、ガラス板４を嵌め込んだ前枠３が片開き自在に設置されており、その前枠３が、各種の入賞装置等を設置した遊技盤（図示せず）の前方に位置した状態になっている。また、前枠３の下側には、供給皿６を突設した中扉５が片開き自在に取り付けられており、中扉５の下側には、貯留皿８および操作ハンドル９を突設した下側機能部７が設置されている。
【０００８】
一方、図２は、パチンコ機１の背面図であり、外枠２の内側には、金属製のミドル枠１０が設置されている。また、ミドル枠１０の後方には、合成樹脂製の機構板１１が、前面（パチンコ機１の前面側から見た場合の前面）の一部を、ミドル枠１０の後面（パチンコ機１の前面側から見た場合の後面）に当接させた状態で設置されている。そして、それらのミドル枠１０および機構板１１は、外枠２の左端縁（パチンコ機１の前面側から見た場合の左端縁）に、一体となって片開きできるように固着されている。図３は、ミドル枠１０および機構板１１を示す後方斜視図であり、図４は、ミドル枠１０および機構板１１を示す分解斜視図である。機構板１１は、右側部材２０、下側部材２１、カバー部材２２、セーフ球通路カバー２５等によって、略Ｌ字状に組み立て形成されている。そして、右側部材２０は、上端に設けられた基板取付凹部２４内に、ターミナル基板１６が設置されており、そのターミナル基板１６の下側に、通路部材１７ａ，１７ｂ、遊技球払出装置１８等が上下に連設されている。加えて、右側部材２０の左上方には、遊技球タンク１５が付設されており、通路部材１７ａと連通した状態になっている。
【０００９】
また、図１８は、右側部材２０と下側部材２１とを組み付けた状態を示したものであり、下側部材２１の中央上方には、セーフ球タンク５０が設けられており、中央下端には、セーフ球排出装置１９等が設置されている。そして、それらのセーフ球タンク５０とセーフ球排出装置１９とが、セーフ球通路５３を介して連通した状態になっている。さらに、セーフ球タンク５０、セーフ球通路５３の後方には、それぞれ、カバー部材２２、セーフ球通路カバー２５が取り付けられている（図４参照）。加えて、カバー部材２２の後方には、取付板２３が取り付けられており、その取付板２３には、制御装置１２およびサブ基板１３が設置されている。
【００１０】
図５、図６は、カバー部材２２を示したものであり、カバー部材２２は、合成樹脂によって、ほぼ平板状に形成されており、その平板部２６には、ほぼ格子状に補強リブ２７，２７・・が立設されている。さらに、平板部２６の上端際には、３つの水平ロール状ガイド２８，２８・・が、平板部２６の後面（パチンコ機１の前面側から見た場合の後面）から後方へ突出するように設けられている。図７は、図５における水平ロール状ガイド２８の突設部位を拡大して示したものであり、各水平ロール状ガイド２８，２８・・は、上側の部分が、開口した状態になっている。また、各水平ロール状ガイド２８，２８・・は、左右両側に支持部材２９，２９が添設されており、平板部２６の後面から後方へ（補強リブ２７，２７・・より後方へ）突出した状態になっている。さらに、平板部２６の周縁際には、複数の係着孔３０ａ，３０ａ・・が穿設されている。
【００１１】
一方、図８、図９、図２３は、取付板２３を示したものであり、取付板２３は、合成樹脂によって、ほぼ平板状に形成されている。そして、上端際に、３つのガイド挿通孔３１，３１・・が穿設されており、それらのガイド挿通孔３１，３１・・の上端には、それぞれ、柱状部３２，３２・・が設けられている。また、図２４は、図２３におけるＢ部分を拡大して示したものであり、図２０は、図８（ａ）におけるＡ−Ａ線断面を拡大して示したものである。各柱状部３２，３２・・は、完全な円柱状に形成されておらず、それぞれ、長さ方向に沿った窪み５９が設けられている。さらに、各柱状部３２，３２・・の後端縁は、平板部３３の後端縁より、わずかに後方に位置した状態になっているとともに、各ガイド挿通孔３１，３１・・の周囲に設けられた補強リブ３４の上端際（柱状部３２の設置部位際）に、段差Ｌが設けられている（以下、各ガイド挿通孔３１，３１・・の周囲に設けられた補強リブ３４における段差Ｌを形成している屈曲部分を係合屈曲部５５という）。加えて、図８、図９に示されるように、平板部３３の右側（パチンコ機１の背面側から見た場合の右側）には、サブ基板設置領域３９が設けられており、そのサブ基板設置領域３９の四隅には、断面Ｌ字状の係止爪４０，４０・・が、先端を内側に向けた状態で突設されている。また、取付板２３の左側の下端際には、嵌合凹部３５が設けられており、その嵌合凹部３５の左右両側には、係着孔３０ｂ，３０ｂが穿設されている。さらに、それらの嵌合凹部３５、設置用孔３０ｂ，３０ｂを覆うように、収納ガイド５１が、平板部３３の後面（パチンコ機１の前面側から見た場合の後面）から突出するように設けられており、その収納ガイド５１内に、左右に係着孔３０ｄ，３０ｄを設けた押止部材３８が収納されている。なお、押止部材３８の裏面には、嵌合凹部３５と嵌合する嵌合凸部（図示せず）が設けられている。
【００１２】
また、図１０は、下側部材２１のセーフ球タンク５０、セーフ球通路５３の後方に、それぞれ、カバー部材２２、セーフ球通路カバー２５が取り付けられた状態を示したものであり、カバー部材２２およびセーフ球通路カバー２５は、それぞれ、係着孔３０ａ，３０ａ・・の穿設部分が、係着部材４１，４１・・により、下側部材２１に穿設された係着孔３０ｅ，３０ｅ・・の穿設部分に係着されることによって、着脱自在に取り付けられている。なお、係着部材４１，４１・・は、先端が分割されたリング体４１ａの内部に押込体４１ｂを挿通させたものであり、押込体４１ｂを押し込むと、リング体４１ａの先端部が膨出し、押込体４１ｂを引き出すと、リング体４１ａの先端部が元通りに復元するようになっている。このため、カバー部材２２あるいはセーフ球通路カバー２５の係着孔３０ａ，３０ａ・・と下側部材２１の係着孔３０ｅ，３０ｅ・・とに、係着部材４１のリング体４１ａを挿入し、その状態で、押込体４１ｂを押し込むと、係着孔３０ａ，３０ａ・・の穿設部分と係着孔３０ｅ，３０ｅ・・の穿設部分とが係着され、押込体４１ｂを引き出すと、係着が解除される。
【００１３】
さらに、図１１は、カバー部材２２の後方に取付板２３が取り付けられた状態を示したものであり、図１２は、後方に取付板２３が取り付けられたカバー部材２２を示したものである。取付板２３は、各柱状部３２，３２・・を、カバー部材２２の水平ロール状ガイド２８，２８・・内に嵌入し、各ガイド挿通孔３１，３１・・に、水平ロール状ガイド２８および水平ロール状ガイド２８の左右両側に付設された支持部材２９，２９を挿通させ、かつ、係着部材４１，４１により、下端の係着孔３０ｃ，３０ｃの穿設部分を、下側部材２１の係着孔３０ｅ、およびカバー部材２２の係着孔３０ａの穿設部分と係着することによって、上端縁を軸として片開き自在に、カバー部材２２の後方に設置されている。なお、図１０の如く、下側部材２１の右側（パチンコ機１の背面側から見た場合の右側）には、下側部材２１を縦断するように配線ダクト５７が屈曲状に設けられているが、カバー部材２２に後方に取り付けられた取付板２３によって、後方からほとんど見えないようになっている。
【００１４】
一方、図１３は、制御装置１２を示したものであり、制御装置１２は、保護容器４４の下端縁のやや左側（パチンコ機１の背面側から見た場合の左側）に、固定孔４３を穿設した設置用突起４２が突設されている。そして、制御装置１２は、図１４の如く、設置用突起４２を取付板２３の押止部材３８と平板部３３との間に挿入し、設置用突起４２の固定孔４３に、押止部材３８の裏面に突設された嵌合凸部を嵌入させた状態で、押止部材３８の係着孔３０ｄ，３０ｄ穿設部分と平板部３３の係着孔３０ｂ，３０ｂ穿設部分とを、係着部材４１，４１により係着することによって、着脱自在に取付板２３に取り付けられている。
【００１５】
加えて、図１７は、ターミナル基板１６を示したものであり、ターミナル基板１６は、第２基板４９を収容した第２容器４７の前面に、第１基板４８を収容した第１容器４６を片開き自在に取り付けた二層構造を有している。一方、図１８の如く、右側部材２０の基板収納凹部２４には、弾性係合片５６が一体的に設けられており、ターミナル基板１６は、その弾性係合片５６を第１容器４６の左端縁に設けられた係合凹部５４に係合させることによって、着脱自在に右側部材２０に設置されている。
【００１６】
かかるパチンコ機１においては、遊技中に、遊技盤に設置された入賞装置に遊技球が入賞すると、遊技球タンク１５に貯えられた遊技球が、通路部材１７内を流下し、遊技球払出装置１８によってカウントされた後に、賞品球として、供給皿６へ払い出される。一方、入賞装置に入賞した遊技球は、一時的に、セーフ球タンク５０内に貯えられ、セーフ球排出装置１９によってカウントされた後に外部へ排出される。
【００１７】
また、取付板２３の下端に設けられた係着孔３０ｃ，３０ｃを取り外すことによって、取付板２３を、その上端縁を軸として片開きすることができる。さらに、取付板２３を９０度以上片開きすると、各水平ロール状ガイド２８の左右両側の支持部材２９，２９が、各ガイド挿通孔３１，３１・・の外側に位置した状態となるため、取付板２３を右側あるいは左側にスライドさせることが可能となる（なお、図２１は、取付板２３を左側にスライドさせた状態を示したものである）。さらに、図２２は、図２１におけるＤ−Ｄ線断面を示したものであり、取付板２３を右側あるいは左側にスライドさせると、各支持部材２９，２９・・が各ガイド挿通孔３１，３１・・穿設部位の周囲に設けられた係合屈曲部５５と係合し合う。このため、取付板２３が、略水平に片開きされた状態で保持される（図１６参照）。なお、各ガイド挿通孔３１，３１・・は、水平ロール状ガイド２８の幅と左右両側の支持部材２９，２９の幅とを合わせた長さよりも幅広に形成されているため、取付板２３を片開きするだけでスライドさせない場合や、取付板２３を９０度より小さい角度で片開きする場合には、各支持部材２９，２９・・が係合屈曲部５５と係合せず（図１２参照）、取付板２３は、片開きした状態で保持されない。
【００１８】
また、図１５は、取付板２３のサブ基板設置領域３９へのサブ基板１３の設置状態を示したものであり、サブ基板１３は、上端縁および下端縁の左右両端から上方および下方へ突設された設置爪４５，４５・・を、それぞれ、サブ基板設置領域３９の四隅に突設された係止爪４０，４０・・の内部に挿入させることによって、取付板２３に設置されている。このため、取付板２３を片開きした場合には、サブ基板１３を右側（パチンコ機１の背面から見た場合の右側）にスライドさせるだけで、サブ基板１３を取付板２３から簡単に取り外すことができる。なお、下側部材２１の右下方には、せき止め部材５８が、閉じた取付板２３のサブ基板設置領域３９における平板部３３より後方へ突出するように設けられているので、取付板２３が閉じている場合には、サブ基板１３を取り外すことができない。
【００１９】
パチンコ機１は、上記の如く、セーフ球タンク５０およびセーフ球通路５３の後方に、取付板２３が、上端縁を軸として片開き自在に設置されており、制御装置１２がその取付板２３を介して設置されているとともに、カバー部材２２に、取付板２３を所定角度に傾斜させた状態で支持する支持部材２９，２９・・が付設されているため、セーフ球タンク５０やセーフ球通路５３内で遊技球が詰まる等のトラブルが発生した場合でも、ミドル枠１０および機構板１１を一体的に片開きして、取付板２３を傾斜状態で保持するだけで、大きな作業スペースを必要とすることなく、そのトラブルを簡単に解消することができる。しかも、支持部材２９，２９・・によって、取付板２３が略水平に片開きした状態で保持されるため、セーフ球タンク５０やセーフ球通路５３内におけるトラブルの解消が、非常に容易なものとなっている。
【００２０】
また、パチンコ機１は、上述の如く、カバー部材２２に水平ロール状ガイド２８，２８・・が設けられており、それらの水平ロール状ガイド２８，２８・・の左右両側に、それぞれ支持部材２９，２９が付設されているとともに、取付板２３に、各水平ロール状ガイド２８，２８・・より幅広なガイド挿通孔３１，３１・・と、柱状部３２，３２・・とが、それぞれ上下に連設されており、取付板２３が、各柱状部３２，３２・・を各水平ロール状ガイド２８，２８・・内に嵌入し、各ガイド挿通孔３１，３１・・に、各水平ロール状ガイド２８，２８・・および左右に付設された各支持部材２９，２９を挿通させた状態で、カバー部材２２に設置されており、取付板２３を９０度以上片開きした状態で、右側あるいは左側にスライドさせると、各支持部材２９，２９・・が、各ガイド挿通孔３１，３１・・の周囲に設けられた係合屈曲部５５と係合し合って、取付板２３が略水平に片開きされた状態で保持される。かかる如く、パチンコ機１は、取付板２３を水平より大きい角度で片開きして左右いずれかにスライドさせるだけで、きわめて容易に傾斜状態で保持することができるので、セーフ球タンク５０やセーフ球通路５３におけるトラブルを、きわめて容易に解消することができる。
【００２１】
さらに、パチンコ機１は、各ガイド挿通孔３１，３１・・の周囲に設けられた補強リブ３４の上端際（柱状部３２の設置部位際）に段差Ｌが設けられており、各支持部材２９，２９・・を係合屈曲部５５，５５・・に係合させた状態で、取付板２３が略水平に保持されるので、略水平に保持された取付板２３ががたついたりしない。加えて、取付板２３の開閉時における各水平ロール状ガイド２８，２８・・・・内での柱状部３２，３２・・の回転中心が、カバー部材２２の平板部３３の後端縁より、わずかに後方に位置した状態になっているので、取付板２３を非常にスムーズに片開きすることができる。その上、取付板２３の各柱状部３２，３２・・が完全な円柱状ではなく、長さ方向に沿った窪み５９を有しているので、製造時や修理・交換等のメンテナンス時における取付板２３の着脱の際の各水平ロール状ガイド２８，２８・・・・内への各柱状部３２，３２・・の挿入が非常に容易である。
【００２２】
加えて、パチンコ機１は、セーフ球通路５３にセーフ球通路カバー２５が着脱自在に設けられているため、取付板２３を傾斜状態で保持した上で、セーフ球通路カバー２５を取り外すだけで、簡単にセーフ球通路５３が露出する。このため、セーフ球タンク５０やセーフ球通路５３におけるトラブルを、ごく短時間のうちに解消することができる。
【００２３】
また、パチンコ機１は、制御装置１２が、保護容器４４の下端縁に設けられた設置用突起４２を、取付板２３の押止部材３８と平板部３３との間に挿入した状態で、押止部材３８と平板部３３とを係着することによって、着脱自在に取付板２３に取り付けられているため、制御装置１２を取り替える場合やチェックする場合等に、非常に容易に制御装置１２を取り外すことができる。また、パチンコ機１は、サブ基板１３が、上端縁および下端縁の左右両端に突設された設置爪４５，４５・・を、それぞれ、取付板２３に突設された断面Ｌ字状の係止爪４０，４０・・の内部に挿入させることによって、着脱自在に取付板２３に設置されているため、サブ基板１３をチェックする場合やサブ基板１３が故障した場合等に、非常に容易にサブ基板１３を取り外すことができる。その上、パチンコ機１は、下側部材２１に設けられた配線ダクト５７が、カバー部材２２の後方に取り付けられた取付板２３によって、後方からほとんど見えないようになっており、美観にも優れている。一方、パチンコ機１は、機構板１１の右上方に設置されるターミナル基板１６が、二層構造を有しており、容積の小さい基板収納凹部２４内に、非常にコンパクトに収納されている。このため、パチンコ機１の図柄表示装置１４や遊技球タンク１５は、従来よりも大きなものとなっている。したがって、パチンコ機１は、従来のパチンコ機に比べて、図柄表示装置１４による図柄やメッセージの表示がよりダイナミックなものとなっているし、多くの賞品球が払い出される場合でも遊技球タンク１５内の遊技球がなくなりにくい。
【００２４】
なお、本発明のパチンコ機の構成は、上記実施形態の態様に何ら限定されるものではなく、外枠、ミドル枠、前枠、中扉、下側機能部、機構板（右側部材、下側部材、カバー部材、セーフ球通路カバー）、取付板、通路部材、遊技球払出装置、セーフ球排出装置、遊技球タンク、係着部材等の形状・構造等の構成を必要に応じて適宜変更することができる。
【００２５】
たとえば、機構板は、右側部材、下側部材、カバー部材、セーフ球通路カバー等によって、組み立て形成されるものに限定されず、一体的に形成されたものでも良い。また、機構板に設ける水平ロール状ガイドや取付板に設ける柱状部の個数は、３個に限定されず、２個以下でも良いし、４個以上でも良い。さらに、支持部材は、必ずしも、水平ロール状ガイドの左右両側に付設する必要はなく、水平ロール状ガイドの左右いずれか片側に付設することも可能であるし、場合によっては、水平ロール状ガイドの側部以外の部位に設けることも可能である。加えて、パチンコ機は、取付板を所定の１つの角度で傾斜させた状態で支持する支持部材が機構板に付設されたものに限定されず、たとえば、水平ロール状ガイドの左右両側に、長さの異なる支持部材を付設する方法等を採用することによって、取付板を所定の２つの角度で傾斜させた状態で支持する支持部材が機構板に付設されたもの等に変更することもできる。かかる構成を採用した場合には、パチンコ機は、必要に応じて取付板の角度を変更できるものとなり、セーフ球タンクやセーフ球通路におけるトラブルを一層容易に解消できるものとなる。また、支持部材は、上記実施形態の如く、カバー部材の平板部から一体的に突出したものに限定されず、基端がカバー部材の後面に遊嵌されており先端が取付板の前面と係合可能な棒状体（自動車のボンネットを片開きした状態で保持する支持部材の如き形状を有するもの）等の他の形状を有するものに変更することも可能である。加えて、パチンコ機は、取付板に水平ロール状ガイドが設けられているとともに、機構板にガイド挿通孔と柱状部とが上下に連設されており、取付板が、水平ロール状ガイド内に柱状部を嵌入させ、水平ロール状ガイドをガイド挿通孔に挿通した状態で、上端縁を中心として片開き自在に機構板に設置されたものでも良い。一方、取付板は、制御装置とサブ基板とを一緒に設置するものに限定されず、制御装置とサブ基板とを別々に設置するものでも良い。また、ターミナル基板は、二層構造を有するものに限定されず、三層構造や四層構造を有するものでも良い。
【００２６】
【発明の効果】
請求項１に記載されたパチンコ機は、取付板が、機構板に、上端縁を軸として片開き自在に設置されているとともに、該取付板に係合屈曲部が設けられており、かつ、機構板に、取付板を所定角度に傾斜させた状態で支持する支持部材が付設されているため、セーフ球タンクやセーフ球通路内で遊技球が詰まる等のトラブルが発生した場合でも、ミドル枠および機構板を一体的に片開きして、係合屈曲部を支持部材に係合させて取付板を傾斜状態で保持するだけで、大きな作業スペースを必要とすることなく、そのトラブルを簡単に解消することができる。
また、取付板が軸方向へスライド可能に設置されているため、取付板を所定角度以上片開きした状態で軸方向へスライドさせるだけで、きわめて容易に取付板を傾斜状態で支持することができる。
【００２７】
請求項２に記載されたパチンコ機は、支持部材が、取付板を、鉛直線と約９０度以上の角度をなすように傾斜させた状態で支持するものであるので、セーフ球タンクやセーフ球通路におけるトラブルを非常に容易に解消することができる。
【００２８】
請求項３に記載されたパチンコ機は、機構板に水平ロール状ガイドが設けられており、その水平ロール状ガイドの右側および／または左側に支持部材が付設されているとともに、取付板に、水平ロール状ガイドより幅広なガイド挿通孔と、柱状部とが上下に連設されており、取付板が、柱状部を水平ロール状ガイド内に嵌入し、ガイド挿通孔に水平ロール状ガイドおよび支持部材を挿通させた状態で、機構板に設置されており、取付板を開放した状態で、右側あるいは左側にスライドさせると、支持部材が、ガイド挿通孔の隣接部分と係合し合うため、きわめて容易に取付板を傾斜状態で保持することができ、セーフ球タンクやセーフ球通路におけるトラブルを、きわめて容易に解消することができる。
【００２９】
請求項４に記載されたパチンコ機は、セーフ球通路にセーフ球通路カバーが着脱自在に設けられているため、取付板を傾斜状態で保持した上で、セーフ球通路カバーを取り外すだけで、簡単にセーフ球通路が露出する。このため、セーフ球タンクやセーフ球通路におけるトラブルを、ごく短時間のうちに解消することができる。
【図面の簡単な説明】
【図１】パチンコ機の正面図である。
【図２】パチンコ機の背面図である。
【図３】ミドル枠および機構板をパチンコ機の背面側から示す斜視図である。
【図４】ミドル枠および機構板をパチンコ機の背面側から示す分解斜視図である。
【図５】（ａ），（ｂ）は、それぞれ、パチンコ機の背面側から見たカバー部材の正面図、左側面図である。
【図６】カバー部材をパチンコ機の背面側から示す斜視図である。
【図７】図５の部分拡大図である。
【図８】（ａ），（ｂ）は、それぞれ、パチンコ機の背面側から見た取付板の正面図、左側面図である。
【図９】（ａ），（ｂ）は、それぞれ、取付板をパチンコ機の背面側から示す斜視図、部分分解斜視図である。
【図１０】ミドル枠および機構板（カバー部材が取り付けられている状態）をパチンコ機の背面側から示す斜視図である。
【図１１】ミドル枠および機構板（取付板が取り付けられている状態）をパチンコ機の背面側から示す斜視図である。
【図１２】（ａ），（ｂ）は、それぞれ、取付板を取り付けたカバー部材をパチンコ機の背面側から見た場合の正面図、右側面図である。
【図１３】パチンコ機の背面側から見た制御装置の正面図である。
【図１４】（ａ）は、制御装置を取り付けた取付板をパチンコ機の背面側から見た場合の正面図であり、（ｂ）は、（ａ）におけるＣ−Ｃ線断面を示す説明図である。
【図１５】サブ基板を取付板へ設置する様子を示す説明図である。
【図１６】取付板を傾斜させた状態を示す説明図である。
【図１７】ターミナル基板を示す説明図である。
【図１８】右側部材および下側部材をパチンコ機の背面側から示す斜視図である。
【図１９】従来のパチンコ機の背面図である。
【図２０】図８（ａ）におけるＡ−Ａ線断面を拡大して示す説明図である。
【図２１】取付板を９０度以上片開きして左側（パチンコ機の前面側から見た場合の左側）にスライドさせた状態を示す説明図である。
【図２２】図２１におけるＤ−Ｄ線断面を示す説明図である。
【図２３】パチンコ機の正面側から見た取付板の正面図である。
【図２４】図２３におけるＢ部分を拡大して示す説明図である。
【符号の説明】
１・・パチンコ機、２・・外枠、３・・前枠、４・・ガラス板、５・・中扉、６・・供給皿、７・・下側機能部、８・・貯留皿、９・・操作ハンドル、１０・・ミドル枠、１１・・機構板、１２・・制御装置、１３・・サブ基板、１４・・図柄表示装置、１５・・遊技球タンク、１６・・ターミナル基板、１７ａ，１７ｂ・・通路部材、１８・・遊技球払出装置、１９・・セーフ球排出装置、２０・・右側部材、２１・・下側部材、２２・・カバー部材、２３・・取付板、２４・・基板取付凹部、２５・・セーフ球通路カバー、２６・・平板部、２７・・補強リブ、２８・・水平ロール状ガイド、２９・・支持部材、３０ａ〜３０ｅ・・係着孔、３１・・ガイド挿通孔、３２・・柱状部、３３・・平板部、３４・・補強リブ、３５・・嵌合凹部、３８・・押止部材、３９・・サブ基板設置領域、４０・・係止爪、４１・・係着部材、４２・・設置用突起、４３・・固定孔、４４・・保護容器、４５・・設置爪、４６・・第１収容部、４７・・第２収容部、４８・・第１基板、４９・・第２基板、５０・・セーフ球タンク、５１・・収納ガイド、５３・・セーフ球通路、５４・・係合凹部、５５・・係合屈曲部、５６・・弾性係合片、５７・・配線ダクト、５８・・せき止め部材、５９・・窪み、６１・・パチンコ機、６２・・外枠、６３・・ミドル枠、６４・・機構板、６５・・制御装置、６６・・セーフ球タンク、６７・・セーフ球排出装置、６８・・セーフ球通路。
【図１】
0004352482.tif 000002
【図２】
0004352482.tif 000003
【図３】
0004352482.tif 000004
【図４】
0004352482.tif 000005
【図５】
0004352482.tif 000006
【図６】
0004352482.tif 000007
【図７】
0004352482.tif 000008
【図８】
0004352482.tif 000009
【図９】
0004352482.tif 000010
【図１０】
0004352482.tif 000011
【図１１】
0004352482.tif 000012
【図１２】
0004352482.tif 000013
【図１３】
0004352482.tif 000014
【図１４】
0004352482.tif 000015
【図１５】
0004352482.tif 000016
【図１６】
0004352482.tif 000017
【図１７】
0004352482.tif 000018
【図１８】
0004352482.tif 000019
【図１９】
0004352482.tif 000020
【図２０】
0004352482.tif 000021
【図２１】
0004352482.tif 000022
【図２２】
0004352482.tif 000023
【図２３】
0004352482.tif 000024
【図２４】
0004352482.tif 000025